(57)【要約】【課題】単一のインタフェースで同時にコンピュータの入出力機能とウェッブ電話機能を具備し、使用に便利な音声の入出力装置を併合した、コンピュータ入出力装置を提供すること。【解決手段】マウスの機能、キーボードの機能やその他のコンピュータ周辺装置の機能を備えた入出力装置に音声入出力装置をハード／ソフト・ウェアで組み込み、コンピュータの入出力装置で音声入出力装置をオン／オフや音量などの制御ができる、音声入出力装置を併合した。【選択図】図２
0003126289.tif 000002
【実用新案登録請求の範囲】
【請求項１】
コンピュータの入出力装置において、
マウスの機能、キーボードの機能やその他のコンピュータ周辺装置の機能を備えた入出力装置に、音声入出力装置をハード／ソフト・ウェアで組み込み、
前記コンピュータの入出力装置で前記音声入出力装置をオン／オフや音量などの制御ができる、
音声入出力装置を併合した、コンピュータの入出力装置。
【請求項２】
前記コンピュータの入出力装置は更に、即時通信（Instant Messenger）のソフト・ウェアを備え、ウェッブ(web)上の電話通信に使用できることと特徴とする、請求項１に記載のコンピュータの入出力装置。
【請求項３】
前記音声入出力装置はコンピュータに接続するため、前記コンピュータ入出力装置は、前記コンピュータ入出力装置の入出力インタフェースと単一の伝送インタフェースとして結合していることを特徴とする、請求項１に記載のコンピュータ入出力装置。
【請求項４】
前記伝送インタフェースは、ＵＳＢ、ＩＥＥＥ  １３９４などの伝送線、或いはブルー・トゥース、赤外線などの無線伝送インタフェースであることを特徴とする、請求項３に記載のコンピュータ入出力装置。
【請求項５】
前記コンピュータ入出力装置は１つのマウスであって、その底部の機械式移動感知装置、或いは光学式感知モジュールの作用と、ソフト、またはハードウェアの機能により、ウェッブ・サイト（web site）から電話が入ったとき、直接に前記マウスに設けた任意の１つのキーを押してハンド・フリー・レシーバ（hand free receiver）として通信し、また前記マウスを持ち上げれば、そのマウスとしての機能は立ち所に喪失し、同時に前記マウスは手動操作の電話となり、また前記マウスの機能は喪失しないよう設定されて、マウスと手動操作電話として作用し、同時に前記音声入出力装置は、電話の形態に配合して自動的に音量を調整することを特徴とする、請求項１に記載のコンピュータ入出力装置。
【請求項６】
前記コンピュータの入出力装置には更に切り替えスイッチが含まれ、ソフト、またはハード・ウェアのインタフェースにより、前記音声入出力装置か、または前記コンピュータ入出力装置を使用し、或いは前記両装置を同時に使用することを特徴とする、請求項１に記載のコンピュータ入出力装置。
【考案の詳細な説明】
【技術分野】
【０００１】
本考案は音声の入出力装置を併合した、コンピュータ入出力装置に関するもので、特にマウスの機能、キーボードの機能やその他のコンピュータ周辺装置の機能を備えた入出力装置に音声入出力装置を組み込み、同時にコンピュータと音声入出力の機能が制御でき、即時通信（Instant Messenger、以下ＩＭと略称）のソフト・ウェアが便利に動作し、ウェッブ（web）の利用が向上する、コンピュータ入出力装置に関するものである。
【背景技術】
【０００２】
澎大な情報を有するインタネットから必要な分を収集して利用することは、絶対多数の現代人の生活の一部に融けこんでいるのが現状である。
ＭＳＮ（登録商標）、ＩＣＱ（登録商標）、Ｑ９、ＹＡＨＯＯ（登録商標）、ＮＥＴ２ＰＨＯＮＥ（登録商標）などで友達とウェッブ上で交際することは、楽しい至りである。
ウェッブのバンド・ワイスの向上により、ウェッブ・サイト間の音声や図形のやり取りも便利となり、更にウェッブ電話やビデオ会議の流行もにぎやかな限りである。
ウェッブのハードやソフト・ウェアの機能の向上を計り、人々の社会生活を一層多彩なものにすることは、今後重視される課題である。
【０００３】
ウェッブの即時通信（Instant Messenger  ＩＭ）サービスの完璧を期するには、先ずハード／ソフト・ウェアを確立しなければならない。
【０００４】
例えば基本と成るコンピュータ装置に音声入出力装置を組み入れ、ウェッブに接続するためのソフト・ウェア、ＩＭ  ソフト・ウェア、オン・ライン  ＳＫＹＰＥ（登録商標）  ソフト・ウェアなどを組み入れるには困難はないが、外部への連結装置があまり多すぎる場合、制御上の便利性が犠牲となり、ユーザーのコンピュータ入出力アウト・レット（outlet）を占用し過ぎる結果となる。
【０００５】
例えばインタネットのユーザーは一般にキーボードやマウスなどのコンピュータ入出力装置を操作するだけで、ウェッブから電話が入ったとき、始めてイヤホンやマイクロホンを取り、コンピュータ入出力装置で応答し、通話をするのである。
もし、コンピュータ入出力装置に音声入出力装置が併合できれば、同一の電話回線で相手側とＩＭができ、コンピュータ装置が整理され、その入出力アウト・レットの過数占用のような問題もなくなる。
【考案の開示】
【考案が解決しようとする課題】
【０００６】
本考案の主な目的は、単一のインタフェースで同時に、コンピュータの入出力機能とウェッブ電話機能を具備し、使用に便利な音声の入出力装置を併合した、コンピュータ入出力装置を提供する所にある。
【０００７】
本考案のもう１つ目的は、その含むソフト・ウェアを利用してＩＭの交友電話通信をたやすくウェッブ上で楽しめる、音声の入出力装置を併合した、コンピュータ入出力装置を提供する所にある。
【０００８】
本考案の更に１つの目的はＭＳＮ、ＩＣＱ、Ｑ９、ＹＡＨＯＯ、ＮＥＴ２ＰＨＯＮＥなどウェッブ・サイトと交流できる、音声の入出力装置を併合した、コンピュータ入出力装置を提供する所にある。
【課題を解決するための手段】
【０００９】
上述の目的を達成するため、本考案に係わるコンピュータ入出力装置は、マウスの機能、キーボードの機能やその他のコンピュータ周辺装置の機能を備えた入出力装置に、音声入出力装置をハード／ソフト・ウェアで組み込み、コンピュータ入出力装置で音声入出力装置のオン／オフや音量などの制御ができる音声の入出力装置を併合した、コンピュータ入出力装置を提供した。
またこの装置は即時通信（ＩＭ）の機能を備え、ウェッブ上で電話通信もでき、操作が簡単で特殊な技能を必要とせず、同時、或いは個別にコンピュータ入出力機能、または音声入出力機能を発揮できるよう、便利な装置とした。
【考案の効果】
【００１０】
本考案に係わるコンピュータ入出力装置には、音声の入出力装置を組み込んで、同時にコンピュータ入出力装置と音声入出力装置両者の機能を発揮でき、また即時通信（ＩＭ）にも利用できて非常に便利な装置である。
【考案を実施するための最良の形態】
【００１１】
以下、図面を参照しながら本考案に係る最良の形態について説明する。
図１と図２に本考案の構成を示す。
【００１２】
以下主な入出力装置１としてのマウス１１について説明する。
マウス１１内に含まれた中央処理装置（ＣＰＵ）１１１には１つの制御モジュール１１２が接続されていて、マウス１１上の各制御キーから伝達されてくる情報を感知するのである。
【００１３】
ＣＰＵ  １１１の入出力ポート１１３は伝送インタフェース１１４を経由し、コンピュータ３に接続されている。
上記の伝送インタフェースは例えばＵＳＢ、ＩＥＥＥ、１３９４…などの伝送線や、ブルー・トウス、赤外線などの無線伝送インタフェースなどである。
【００１４】
このようにしてＣＰＵ  １１１  はコンピュータ３と色々な情報を交換するのである。
本考案に係わる音声の入出力装置２には、基本となるマイクロホン２１とスピーカ２２が含まれていて、ＣＰＵ  １１１で制御するのである。
【００１５】
同様に入出力ポート１１３から伝送インタフェース１１４を経て、音声をコンピュータ３に入力、またコンピュータ３から音声信号をスピーカ２２に伝えて発声させるのである。
【００１６】
また、上述のマウス１１からの制御信号は、制御モジュール１１２からＣＰＵ  １１１に伝えられ、ハード・ウェアやソフト・ウェアにより、音声の入出力装置２のオン・オフ或いは、音量の調整をするのである。
【００１７】
前記のマウス１１の操作方式は一般のマウスと同様である。
ウェッブから電話が入り次第、マウス１１に備えているスイッチを押せば、ハンド・フリー・レシーバとして通話ができる。
【００１８】
マウス１１内部にはソフト・ウェアやハード・ウェアで形成された切り替えスイッチがあって、マウス１１の底部に取りつけられた機械式移動感知装置、または光学感知モジュールにより、マウス１１が持ち上げられたか、否かを判断し、マウス１１が持ち上げられた場合、切り替えスイッチにより、一般の電話として操作され、同時にマイクロホン２１とスピーカ２２の音量は、自動的に適当な値に調整され、普通の電話、またはハンド・フリー・レシーバとして機能するのである。
【００１９】
このようにして本考案の音声入出力装置２は入出力装置１に組み込まれ、ただ１つの入出力ポートを占用するのみで、余分なコンピュータの空間を必要としない。
【００２０】
単独にコンピュータの入出力装置、または音声の入出力装置として使用し、また両装置として同時に使用してもよい。
ウェッブ電話が中断中、スピーカ２２で音楽を放送したり、拡声機を更に接続して音量を上げて楽しむこともできる。
【００２１】
以上の詳細な説明は本考案の実行可能な実施例についての説明であり、本考案はこれらの実施例の記載に限定されるものではなく、凡そ本考案の技術思想を逸脱せずになされた同等効果が得られる実施や変更は全て本考案に含まれるものである。
【図面の簡単な説明】
【００２２】
【図１】本考案の構成と配置を示した説明図である。
【図２】本考案の構成と配置を示した説明図である。
【符号の説明】
【００２３】
１：入出力装置            １１：マウス
１１１：中央処理装置（ＣＰＵ）            １１２：制御モジュール
１１３：入出力ポート      １１４：伝送インタフェース
１２：キーボード          ２：音声入出力装置
２１：マイクロホン        ２２：スピーカ
３：コンピュータ
【図１】
0003126289.tif 000003
【図２】
0003126289.tif 000004